(57)【要約】【課題】  原稿の読取り処理が途中で異常中断した場合、原稿全体を読取りしていないけれども必要部分は読取り完了している原稿については読み直すことなく読取り終了にできるようにする。【解決手段】  原稿の画像の読取りを開始し（Ｓ１）、その読取り結果の画像から画像パターンを認識し（Ｓ２）、その画像パターンを蓄積し（Ｓ３）、ジャム検知部がジャム発生を検知したら（Ｓ４）、ジャム通知（Ｓ７）とジャム原稿の取り除き指示（Ｓ８）をし、原稿の画像の読取りを終了にするか否かを判断し（Ｓ９）、読取りを終了にすると判断したら、読取り画像未読取り部分の補完処理を実行し（Ｓ１０）、読取りを終了し（Ｓ５）、次の読取りを開始する（Ｓ６）。【選択図】        図２
2007325066.tif 000002
【特許請求の範囲】
【請求項１】
原稿の画像を読取る読取り手段と、該読取り手段による読取り処理が途中で異常中断したとき、前記原稿の画像の読取りを終了にするか否かを判断する読取り終了可否判断手段とを備えたことを特徴とする原稿読取装置。
【請求項２】
請求項１記載の原稿読取装置において、前記読取り終了可否判断手段は、前記読取り処理によって得られた画像が前記原稿の画像に対して所定の割合以上のときに前記原稿の画像の読取りを終了にすると判断する手段であることを特徴とする原稿読取装置。
【請求項３】
請求項１記載の原稿読取装置において、前記読取り終了可否判断手段は、前記読取り処理によって得られた画像の前記異常中断した位置から所定ライン数分の領域内の画像パターンを認識し、その認識した画像パターンが所定の画像パターンであるときに前記原稿の画像の読取りを終了にすると判断する手段であることを特徴とする原稿読取装置。
【請求項４】
請求項１記載の原稿読取装置において、前記読取り終了可否判断手段は、前記読取り処理の途中で異常中断した原稿の前に読取った他の原稿の画像から予め画像パターンを検出し、該画像パターンと前記読取り処理の途中で異常中断した原稿の画像から得られた画像パターンとを照合し、一致している部分の割合が所定の割合以上であるときに前記原稿の画像の読取りを終了にすると判断する手段であることを特徴とする原稿読取装置。
【請求項５】
請求項１記載の原稿読取装置において、前記読取り終了可否判断手段は、前記読取り処理によって得られた画像をプレビュー表示し、読取り終了にするか否かの指示入力を要求し、読取り終了にする指示入力があったときに前記原稿の画像の読取りを終了にすると判断する手段であることを特徴とする原稿読取装置。
【請求項６】
請求項１乃至５のいずれか一項に記載の原稿読取装置において、前記読取り終了可否判断手段によって読取りを終了にすると判断した場合、前記原稿から読取った画像の未読取り部分に所定の補完処理をする未読取り部補完手段を設けたことを特徴とする原稿読取装置。
【請求項７】
請求項６記載の原稿読取装置において、前記未読取り部補完手段は、前記読取り処理が途中で異常中断したときまでに読取った画像の色地を認識し、前記原稿から読取った画像の未読取り部分に前記認識した色地で補完処理をする手段であることを特徴とする原稿読取装置。
【請求項８】
請求項６記載の原稿読取装置において、前記未読取り部補完手段は、前記原稿から読取った画像の未読取り部分に所定の地紋で補完処理をする手段であることを特徴とする原稿読取装置。
【請求項９】
請求項６記載の原稿読取装置において、前記未読取り部補完手段は、前記読取り処理が途中で異常中断したときまでに読取った画像の地紋を認識し、前記原稿から読取った画像の未読取り部分に前記認識した地紋で補完処理をする手段であることを特徴とする原稿読取装置。
【請求項１０】
請求項６記載の原稿読取装置において、前記未読取り部補完手段は、前記原稿から読取った画像の未読取り部分に予め他の原稿から認識した画像パターンで補完処理をする手段であることを特徴とする原稿読取装置。
【請求項１１】
原稿の画像を読取る読取り工程と、該読取り工程による読取り処理が途中で異常中断したとき、前記原稿の画像の読取りを終了にするか否かを判断する読取り終了可否判断工程とからなることを特徴とする原稿読取方法。
【請求項１２】
コンピュータに、原稿の画像を読取る読取り手順と、該読取り手順による読取り処理が途中で異常中断したとき、前記原稿の画像の読取りを終了にするか否かを判断する読取り終了可否判断手順とを実行させるためのプログラム。
【発明の詳細な説明】
【技術分野】
【０００１】
この発明は、原稿の画像を読取るファクシミリ装置、複写機、スキャナ装置を含む原稿読取装置と原稿読取方法とプログラムに関する。
【背景技術】
【０００２】
原稿読取装置において、原稿ジャム発生時には原稿全体を読取りしていない原稿はすべて読取り直しすることになる。
図１４は従来の原稿読取装置の構成を示すブロック図であり、同図に基づいて従来の原稿の読取り処理について説明する。
通常読取りの際、スキャン制御部２１は、原稿搬送部２２、画像読取り部２３、画像処理部２４に指示することで読取りを実現する。その読取りの結果、得られた画像は画像蓄積部２５に保存される。
その画像蓄積部２５に保存された画像は、必要に応じてユーザインタフェース（ＵＩ）部２６によって（プレビュー変換後の）プレビュー表示されたり、印刷部２７によって印刷が行われる。
【０００３】
シートスルー方式の読取り時における、ジャムによる読取り中断の発生時には、ジャム検知部２８により検知を行い、原稿搬送部２２を経てスキャン制御部２１にジャム発生を通知する。
スキャン制御部２１は、その通知を受けて、画像読取り部２３、画像処理部２４にジャム発生時の対応指示を出す。その対応指示による対応処理の中で、画像処理部２４は読取り中断までに得られた不完全な画像を破棄するように画像蓄積部２５に対して指示する。
また、ＵＩ部２６に対して、ユーザに対してジャム原稿の取り除き指示と、読取り中断した原稿を戻す指示を表示するように指示する。そして、ユーザがそれに対応した後、読取り処理を再実行する。
【０００４】
従来、原稿ジャム等の動作継続不能のエラーが発生すると、給紙モータ及び搬送ローラを停止させて、原稿の給紙を停止させ、読取カウンタのカウント値が０であり、かつ、インプリントカウンタのカウント値が０であるかチェックし、読取カウンタのカウント値が０であり、かつ、インプリントカウンタのカウント値が０であると、ＤＲＡＭに画像データがなく、かつ、インプリント済であり、データ転送していない原稿がないと判断して、外部装置にエラー発生を通知する原稿読取装置（例えば、特許文献１参照）があった。
【特許文献１】特開２００４−３０４２４５号公報
【発明の開示】
【発明が解決しようとする課題】
【０００５】
しかしながら、従来の原稿読取装置では、原稿ジャムを含む原稿の読取り処理が途中で異常中断した場合、原稿全体を読取りしていないけれども必要部分は読取り完了している原稿についても再度読み直さなければならず、原稿の読取り作業の効率を向上させられないという問題があった。
この発明は上記の点に鑑みてなされたものであり、原稿の読取り処理が途中で異常中断した場合、原稿全体を読取りしていないけれども必要部分は読取り完了している原稿については読み直すことなく読取り終了にできるようにすることを目的とする。
【課題を解決するための手段】
【０００６】
この発明は上記の目的を達成するため、次の原稿読取装置を提供する。
（１）原稿の画像を読取る読取り手段と、その読取り手段による読取り処理が途中で異常中断したとき、上記原稿の画像の読取りを終了にするか否かを判断する読取り終了可否判断手段を備えた原稿読取装置。
（２）上記のような原稿読取装置において、上記読取り終了可否判断手段を、上記読取り処理によって得られた画像が上記原稿の画像に対して所定の割合以上のときに上記原稿の画像の読取りを終了にすると判断する手段にした原稿読取装置。
（３）上記のような原稿読取装置において、上記読取り終了可否判断手段を、上記読取り処理によって得られた画像の上記異常中断した位置から所定ライン数分の領域内の画像パターンを認識し、その認識した画像パターンが所定の画像パターンであるときに上記原稿の画像の読取りを終了にすると判断する手段にした原稿読取装置。
【０００７】
（４）上記のような原稿読取装置において、上記読取り終了可否判断手段を、上記読取り処理の途中で異常中断した原稿の前に読取った他の原稿の画像から予め画像パターンを検出し、その画像パターンと上記読取り処理の途中で異常中断した原稿の画像から得られた画像パターンとを照合し、一致している部分の割合が所定の割合以上であるときに上記原稿の画像の読取りを終了にすると判断する手段にした原稿読取装置。
（５）上記のような原稿読取装置において、上記読取り終了可否判断手段を、上記読取り処理によって得られた画像をプレビュー表示し、読取り終了にするか否かの指示入力を要求し、読取り終了にする指示入力があったときに上記原稿の画像の読取りを終了にすると判断する手段にした原稿読取装置。
【０００８】
（６）上記のような原稿読取装置において、上記読取り終了可否判断手段によって読取りを終了にすると判断した場合、上記原稿から読取った画像の未読取り部分に所定の補完処理をする未読取り部補完手段を設けた原稿読取装置。
（７）上記のような原稿読取装置において、上記未読取り部補完手段を、上記読取り処理が途中で異常中断したときまでに読取った画像の色地を認識し、上記原稿から読取った画像の未読取り部分に上記認識した色地で補完処理をする手段にした原稿読取装置。
（８）上記のような原稿読取装置において、上記未読取り部補完手段を、上記原稿から読取った画像の未読取り部分に所定の地紋で補完処理をする手段にした原稿読取装置。
【０００９】
（９）上記のような原稿読取装置において、上記未読取り部補完手段を、上記読取り処理が途中で異常中断したときまでに読取った画像の地紋を認識し、上記原稿から読取った画像の未読取り部分に上記認識した地紋で補完処理をする手段にした原稿読取装置。
（１０）上記のような原稿読取装置において、上記未読取り部補完手段を、上記原稿から読取った画像の未読取り部分に予め他の原稿から認識した画像パターンで補完処理をする手段にした原稿読取装置。
【００１０】
また、次の原稿読取方法とプログラムも提供する。
（１１）原稿の画像を読取る読取り工程と、その読取り工程による読取り処理が途中で異常中断したとき、上記原稿の画像の読取りを終了にするか否かを判断する読取り終了可否判断工程とからなる原稿読取方法。
（１２）コンピュータに、原稿の画像を読取る読取り手順と、その読取り手順による読取り処理が途中で異常中断したとき、上記原稿の画像の読取りを終了にするか否かを判断する読取り終了可否判断手順とを実行させるためのプログラム。
【発明の効果】
【００１１】
この発明による原稿読取装置と原稿読取方法は、原稿の読取り処理が途中で異常中断した場合、原稿全体を読取りしていないけれども必要部分は読取り完了している原稿については読み直すことなく読取り終了にすることができる。
また、この発明によるプログラムは、コンピュータに、原稿の読取り処理が途中で異常中断した場合、原稿全体を読取りしていないけれども必要部分は読取り完了している原稿については読み直すことなく読取り終了にさせるための機能を実現させることができる。
【発明を実施するための最良の形態】
【００１２】
以下、この発明を実施するための最良の形態を図面に基づいて具体的に説明する。
〔実施例〕
図１は、この発明の実施例の原稿読取装置の機能構成を示すブロック図である。
図２は、図１に示す原稿読取装置における原稿の画像読取り時の処理を示すフローチャート図である。
この原稿読取装置は、図１に示すように、スキャン制御部１、原稿搬送部２、画像読取り部３、画像処理部４、画像蓄積部５、ユーザインタフェース（ＵＩ）部６、印刷部７、ジャム検知部８、画像パターン認識部９、読取り終了可否判断部１０、ジャム時画像処理部１１からなる。
【００１３】
上記スキャン制御部１と上記画像処理部４と上記画像蓄積部５と上記ＵＩ部６と上記ジャム検知部８と上記画像パターン認識部９と上記読取り終了可否判断部１０と上記ジャム時画像処理部１１は、ＣＰＵ，ＲＯＭ及びＲＡＭからなるマイクロコンピュータによって実現され、この発明に係るプログラムをインストールし、そのプログラムをＣＰＵが実行してこの発明に係る原稿読取方法の各工程を実行することによって、上記画像読取り部３が、この発明に係る読取り手段の機能を果たし、上記読取り終了可否判断部１０が、この発明に係る読取り終了可否判断手段の機能を果たし、上記ジャム時画像処理部１１が、この発明に係る未読取り部補完手段の機能を果たす。
【００１４】
この原稿読取装置において、通常読取り時には、図２に示すように、ステップ（図中「Ｓ」で示す）１でスキャン制御部が、原稿搬送部、画像読取り部、画像処理部に指示することによって原稿の読取りを開始し、その読取りの結果、得られた画像を画像蓄積部に保存する。
ステップ２で画像パターン認識部が、画像蓄積部に保存される読取り結果の画像からパターンの認識（画像パターンの認識）を行い、ステップ３で認識したパターンを画像蓄積部に蓄積して原稿の画像の読取り処理が途中で異常中断したときに素早くその後の画像処理を行えるように準備する。
ステップ４は、シートスルー方式の原稿の画像の読取り時において、ジャム検知部がジャム発生を検知したか否かを判断し（すなわち、読取り処理が途中で異常中断したか否かを判断し）、ジャム発生を検知しなければ、ステップ５で読取りを終了し、ステップ６で原稿の次の読取りを開始し、ステップ２の処理へ戻る。
【００１５】
ステップ４で、ジャム発生を検知したと判断したら、ステップ７でジャム検知部は原稿のどの部分を読取っている時にジャムが発生したのかを示す情報を合わせて原稿搬送部を経てスキャン制御部にジャム通知する。スキャン制御部はジャム通知を受けて、画像読取り部、画像処理部にジャム発生時の対応指示を出す。その際、画像処理部に対して、ジャム発生位置の情報を通知する。
ステップ８で、画像処理部は画像蓄積部を経てＵＩ部にユーザに対してジャム原稿の取り除き指示を表示するように指示する。
また、画像処理部は画像パターン認識部によって予め得ていたジャム発生までに取得している情報とジャム発生位置の情報とを、あるいはジャム発生位置の情報のみを、読取り終了可否判断部に通知する。
【００１６】
ステップ９で、読取り終了可否判断部は画像処理部から得た情報に基づいて原稿の画像の読取りを終了にするか否か（読取りを終了すべきか否か）を判断する。
ステップ９の判断で、原稿の画像の読取りを終了にすると判断したら、ステップ１０で、ジャム時画像処理部が読取り画像未読取り部分の補完処理を実行し、ステップ５で読取りを終了し、ステップ６で原稿の次の読取りを開始し、ステップ２の処理へ戻る。
また、ステップ９の判断で、原稿の画像の読取りを終了にしない（未終了）と判断したら、ステップ１１で画像蓄積部に蓄積された該当する画像を消去して読取り画像を破棄し、ステップ１２でユーザに対してジャム原稿の取り除き指示を表示するように指示し、ステップ１の処理へ戻る。
【００１７】
次に、上記読取り終了可否判断部１０による上記ステップ９における読取り終了可否判断の詳しい処理例について説明する。
（読取り終了可否判断処理の第１例）
図３は、図２に示す読取り終了可否判断処理の第１例の処理を示すフローチャート図である。
この第１例の読取り終了可否判断処理では、読取り終了可否判断部が、ステップ２１でジャム発生位置の情報と、予め取得している原稿のサイズの情報とから、読取り済み領域の画像の割合（原稿の全領域の画像に対してジャム発生までに読取った画像領域の割合）を演算で算出し、ステップ２２でその読取り済み領域の画像の割合が所定の基準値（予め設定した所定の割合）以上か否かを判断し、基準値以上であれば、ステップ２３で読取り終了と判定し、基準値未満であれば、ステップ２４で読取り未終了と判定する。
【００１８】
（読取り終了可否判断処理の第２例）
図４は、図２に示す読取り終了可否判断処理の第２例の処理を示すフローチャート図である。
この第２例の読取り終了可否判断処理では、読取り終了可否判断部が、ステップ３１でジャム発生位置の情報と、画像パターン認識部によって予め取得していた読取り結果の画像の情報とから、ジャム発生位置から基準ピクセル数分さかのぼった領域の画像パターンを認識し、その認識結果の情報を取得し、ステップ３２でそれらの情報に基づいて基準ピクセル数分の間（ジャム発生位置から基準ピクセル数分さかのぼった領域）同一の色地が続いているか否かを判断し、続いているなら、ステップ３３で読取り終了と判定し、続いていないなら（同一の色地だけではないなら）、ステップ３４で読取り未終了と判定する。
【００１９】
（読取り終了可否判断処理の第３例）
この第３例の読取り終了可否判断処理では、読取り終了可否判断部が、ジャム発生位置の情報と、画像パターン認識部によって予め取得していた読取り結果の画像の情報とから、ジャム発生位置から基準ピクセル数分さかのぼった領域の画像パターンを認識し（すなわち、ジャム発生位置から所定ライン数分の領域内の画像パターンを認識し）、その認識結果の情報とを取得し、それらの情報に基づいてジャム発生位置から基準ピクセル数分さかのぼった領域内の任意の部位にページ終了を示す画像パターンがあるか否かを判断し、有れば読取り終了と判定し、無ければ読取り未終了と判定する。
【００２０】
上記ページ終了を表わす画像パターンの一例としては、主走査方向に平行な直線パターンがあって、その上側５０ピクセル以内に主走査方向に平行な直線パターンがあり、更に元の直線パターンより下１００ピクセル以内が下地になっている場合が挙げられる。
この場合、その直線パターンを「ノートの一番下にある直線」＝「ページ終了を示すパターン」と認識して読取り終了と判定する。
【００２１】
図５は、任意の部位にページ終了を示す画像パターンがあるか否かによる読取り終了可否判断処理の第３例の処理を示すフローチャート図である。
この処理は、読取り終了可否判断部が、ステップ４１で、ジャム発生位置の情報と、画像パターン認識部によって予め取得していた読取り結果の画像の情報とから、ジャム発生位置から基準ピクセル数分を原稿の読取りの副走査方向にさかのぼって画像パターンを認識し（すなわち、ジャム発生位置から所定ライン数分の領域内の画像パターンを認識し）、その認識結果の情報を取得し、ステップ４２でそれらの情報に基づいてジャム発生位置から基準ピクセル数分の間の任意の部位にページ終了を示す画像パターンがあるか否かを判断し、有れば、ステップ４３で読取り終了と判定し、無ければ、ステップ４４で読取り未終了と判定する。
【００２２】
上記ページ終了を示すパターンの他の例としては、主走査方向の中央部に数値だけがあって、その上下５０ピクセル四方が地である場合がある。
この場合、その数値は孤立して存在している「ページ数」＝「ページ終了を示すパターン」と認識して読取り終了と判定する。
【００２３】
図６は、任意の部位にページ数を示す数値があるか否かによる読取り終了可否判断処理の第３例の処理を示すフローチャート図である。
この処理は、読取り終了可否判断部が、ステップ５１で、ジャム発生位置の情報と、画像パターン認識部によって予め取得していた読取り結果の画像の情報とから、ジャム発生位置から基準ピクセル数分を原稿の読取りの副走査方向にさかのぼって画像パターンを認識し（すなわち、ジャム発生位置から所定ライン数分の領域内の画像パターンを認識し）、その認識結果の情報を取得し、ステップ５２でそれらの情報に基づいてジャム発生位置から基準ピクセル数分の間の任意の部位にページ数を示す数値があるか否かを判断し、有れば、ステップ５３で読取り終了と判定し、無ければ、ステップ５４で読取り未終了と判定する。
【００２４】
（読取り終了可否判断処理の第４例）
図７は、図２に示す読取り終了可否判断処理の第４例の処理を示すフローチャート図である。
この第４例の読取り終了可否判断処理では、読取り終了可否判断部が、ステップ６１でジャム発生位置の情報と、画像パターン認識部によって予め取得していた読取り結果の画像の情報とから、ジャム発生位置から基準ピクセル数分を原稿の読取りの副走査方向にさかのぼった領域の画像パターンの情報を認識して取得し、ステップ６２で読取り領域の画像パターンと既にそれまでに行った原稿の読取りの全ての結果から取得している学習パターン（過去に読取った画像から認識した各画像パターンから学習した画像パターン）とを照合して比較し、一致している部分の割合が所定の割合以上あるか否かを判断し、両者が所定の割合以上一致した場合は、ステップ６３で読取り終了と判定し、一致する部分が所定の割合未満の場合は、ステップ６４で読取り未終了と判定する。
【００２５】
次に、この原稿読取装置において、複数枚の原稿の読取り結果からそれぞれ認識した画像パターンに基づいて学習パターンを取得するようにしてもよい。
上記学習パターンについては、原稿１枚の画像を読取り終了する毎に、その前に読込んだ結果から取得した学習パターンとの比較を行って学習パターンを更新する。また、以前に読込んだ学習パターンがない場合は、画像パターンを新たに作成する。
実際の画像パターンから学習パターンを得る方法については、公知の学習アルゴリズムを用いるものとする。例えば、上記学習アルゴリズムには、ニューラルネットワーク、ファジーニューロ、オートマトン、強化学習アルゴリズムなどが挙げられる。
【００２６】
図８は、図１に示す原稿読取装置における原稿の画像読取り時の他の処理を示すフローチャート図である。
この原稿読取装置において、通常読取り時には、図８に示すように、ステップ（図中「Ｓ」で示す）７１でスキャン制御部が、原稿搬送部、画像読取り部、画像処理部に指示することによって原稿の読取りを開始し、その読取りの結果、得られた画像を画像蓄積部に保存する。
ステップ７２で画像パターン認識部が、画像蓄積部に保存される読取り結果の画像からパターンの認識（画像パターンの認識）を行い、ステップ７３で認識したパターンを画像蓄積部に蓄積して原稿の画像の読取り処理が途中で異常中断したときに素早くその後の画像処理を行えるように準備する。
【００２７】
ステップ７４は、シートスルー方式の原稿の画像の読取り時において、ジャム検知部がジャム発生を検知したか否かを判断し（すなわち、読取り処理が途中で異常中断したか否かを判断し）、ジャム発生を検知しなければ、ステップ７５で読取りを終了し、ステップ７６で今回読取った画像から認識した画像パターンと前に読取った画像から取得した学習パターンとを比較して学習パターンを更新し、ステップ７７で原稿の次の読取りを開始し、ステップ７２の処理へ戻る。
【００２８】
ステップ７４で、ジャム発生を検知したと判断したら、ステップ７８でジャム検知部は原稿のどの部分を読取っている時にジャムが発生したのかを示す情報を合わせて原稿搬送部を経てスキャン制御部にジャム通知する。スキャン制御部はジャム通知を受けて、画像読取り部、画像処理部にジャム発生時の対応指示を出す。その際、画像処理部に対して、ジャム発生位置の情報を通知する。
ステップ７９で、画像処理部は画像蓄積部を経てＵＩ部にユーザに対してジャム原稿の取り除き指示を表示するように指示する。
また、画像処理部は画像パターン認識部によって予め得ていたジャム発生までに取得している情報とジャム発生位置の情報とを、あるいはジャム発生位置の情報のみを、読取り終了可否判断部に通知する。
【００２９】
ステップ８０で、読取り終了可否判断部は画像処理部から得た情報に基づいて原稿の画像の読取りを終了にするか否か（読取りを終了すべきか否か）を判断する。
ステップ８０の判断で、原稿の画像の読取りを終了にすると判断したら、ステップ８１で、ジャム時画像処理部が読取り画像未読取り部分の補完処理を実行し、ステップ７５で読取りを終了し、ステップ７６で今回読取った画像から認識した画像パターンと前に読取った画像から取得した学習パターンとを比較して学習パターンを更新し、ステップ７７で原稿の次の読取りを開始し、ステップ７２の処理へ戻る。
また、ステップ８０の判断で、原稿の画像の読取りを終了にしない（未終了）と判断したら、ステップ８２で画像蓄積部に蓄積された該当する画像を消去して読取り画像を破棄し、ステップ８３でユーザに対してジャム原稿の取り除き指示を表示するように指示し、ステップ７１の処理へ戻る。
【００３０】
（読取り終了可否判断処理の第５例）
図９は、図２に示す読取り終了可否判断処理の第５例の処理を示すフローチャート図である。
この第５例の読取り終了可否判断処理では、読取り終了可否判断部が、ステップ９１で読取り中断によって正常に得られなかった読取り結果の画像を、画像蓄積部を経てＵＩ部に送り、プレビュー表示すると共に、その結果画像を以って読取りを終了しても良いか否かを指示するようにユーザに促すユーザインタフェース（ＵＩ）を提示する（具体的にはメッセージの表示と指示入力画面の表示）。
ステップ９２でユーザによる選択入力が読取り終了の指示と読取り未終了の指示のいずれであるかを判断し、読取り終了の指示なら、ステップ９３で読取り終了と判定し、読取り未終了の指示なら、ステップ９４で読取り未終了と判定する。
上記プレビュー表示の際には、正常に得られなかった画像をそのままプレビュー表示する他に、任意の画像補完処理を行った後にプレビュー表示することもできる。
【００３１】
このようにして、読取り終了可否判断部によって、読取り未終了と判定された場合、その判定結果を画像蓄積部に通知し、画像蓄積部は中断された読取り処理の結果として得られた画像を破棄する。その後、ＵＩ部によって、ユーザに原稿を戻すように指示し、ユーザが原稿を戻し、再実行することによって再び原稿の読取りが開始される。
また、読取り終了可否判断部によって、読取り終了と判断された場合、その判定結果を画像蓄積部に通知し、画像パターン認識部、ジャム時画像処理部を用いることによって、読取り画像の未読取り部補完処理を行い、その結果を画像蓄積部に保存する。
そして、読取り処理を終了し、次の原稿があればその原稿の読取りを開始する。その際、パターン認識結果を画像蓄積部に保存していれば、それを破棄する。
【００３２】
次に、上記ジャム時画像処理部１１による上記ステップ１０及び上記ステップ８１における読取り画像未読取り部補完処理の詳しい処理例について説明する。
（読取り画像未読取り部補完処理の第１例）
図１０は、図２及び図８に示す読取り画像未読取り部補完処理の第１例の処理を示すフローチャート図である。
この第１例の読取り画像未読取り部補完処理では、ジャム時画像処理部１１が、ステップ１０１でジャム発生位置の情報と、中断した読取り処理の結果取得している画像からジャム発生前の画像領域の画像を抽出し、ステップ１０２で公知の画像処理アルゴリズムによって、抽出した画像領域の画像からジャム発生までに読取った画像の下地の色を取得し、ステップ１０３でジャム発生後の画像領域をその下地と同色の画像で上書きし、ステップ１０４で補完を終了する。
【００３３】
（読取り画像未読取り部補完処理の第２例）
図１１は、図２及び図８に示す読取り画像未読取り部補完処理の第２例の処理を示すフローチャート図である。
この第２例の読取り画像未読取り部補完処理では、ジャム時画像処理部１１が、ステップ１１１でジャム発生位置の情報と、中断した読取り処理の結果取得している画像からジャム発生後の画像領域の画像を抽出し、ステップ１１２で抽出したジャム発生後の画像領域の画像に所定の地紋パターンの画像を上書きし、ステップ１１３で補完を終了する。
【００３４】
（読取り画像未読取り部補完処理の第３例）
図１２は、図２及び図８に示す読取り画像未読取り部補完処理の第３例の処理を示すフローチャート図である。
この第３例の読取り画像未読取り部補完処理では、ジャム時画像処理部１１が、ステップ１２１でジャム発生位置の情報と、中断した読取り処理の結果取得している画像からジャム発生前の画像領域の画像を抽出し、ステップ１２２で公知の画像処理アルゴリズムによって、抽出した画像領域の画像からジャム発生までに読取った画像の地紋パターンを取得し、ステップ１２３でジャム発生後の画像領域をその地紋パターンの画像で上書きし、ステップ１２４で補完を終了する。
上記地紋パターンでの上書きにあたっては、読取り結果の画像の地紋部分と上書きされる地紋部分がスムーズにつながるように公知の画像処理アルゴリズムを用いる。
【００３５】
（読取り画像未読取り部補完処理の第４例）
それまでの読取り終了可否判断処理のアルゴリズムでそれまでに学習した学習パターンとの比較の結果、読取り終了と判定されている場合、次の補完処理が可能である。
図１３は、図２及び図８に示す読取り画像未読取り部補完処理の第４例の処理を示すフローチャート図である。
この第４例の読取り画像未読取り部補完処理では、ジャム時画像処理部１１が、ステップ１３１でジャム発生位置の情報と、中断した読取り処理の結果取得している画像からジャム発生後の画像領域の画像を抽出し、画像パターン認識部によってその画像領域の画像パターンを認識する。
【００３６】
ステップ１３２で抽出した画像領域の画像から認識した画像パターンと、それまでに読取った原稿の画像から学習した学習パターンで補完するか否かを判断し、補完するなら、ステップ１３３でジャム発生後の画像領域の未読取り領域の画像に、学習パターンの画像を上書きすることによって補完し、補完しないなら、ステップ１３４で補完せず終了する。上記学習パターンでの上書きにあたっては、読取り結果の画像から認識した画像パターン部分と上書きする画像パターン部分がスムーズにつながるように公知の画像処理アルゴリズムを用いる。
【００３７】
この原稿読取装置においては、読取り中断発生時に必ずしも原稿の読取り直しを行う必要がないので、原稿の画像の読取り作業の生産性を向上することができる。
また、原稿読取りをほとんど終えた最後の段階で読取り中断が発生した場合に、原稿の読取り直しを行う必要がないので、原稿の画像の読取り作業の生産性を向上することができる。
さらに、原稿の下半分以上で同様の色地が続くような原稿の読取り時に、下半分で読取り中断が発生した場合や、原稿の最下部にページ番号や罫線等のページ終了を表わすシンボルを読取った後に読取り中断が発生した場合に、原稿の読取り直しを行う必要がないので、原稿の画像の読取り作業の生産性を向上することができる。
【００３８】
また、フォーマット文書などの、枠線が多く記入欄が限定されている文書の読取りで、それ以降は記述欄がない部分で読取り中断が発生した場合に、原稿の読取り直しを行う必要がないので、原稿の画像の読取り作業の生産性を向上することができる。
さらに、ユーザが読取り中断の際に、中断までに読取った画像をプレビュー後にユーザが判断できるので、読取りの生産性の他に、原稿から読取った画像の品質を保証することができる。
また、読取り中断によって発生し得る読取り結果画像の乱れを防ぐことができるので、原稿から読取った画像の品質を向上させることができる。
さらに、下地がどんな色の原稿でも、読取り中断時に正しい下地を再現できるので、文書から読取った画像の品質を向上させることができる。
【００３９】
また、補完した部分がそれと判るため、読取りの正常終了によって得られた画像と読取り中断時に補完された画像とを区別できる。そのため、例えば、文書の印刷をひととおり終了した後に、印刷された文書に含まれる複数の原稿のうち補完処理が施された原稿のみを差し替える場合に、差し替え対象の原稿を容易に見つけることができる。したがって、ユーザの利便性を向上させることができる。
さらに、どんな地紋の画像でも、読取り中断に正しい地紋を再現できるので、文書から読取った画像の品質を向上させることができる。
また、フォーマット文書などの、枠線が多く記入欄が限定されている文書の読取りで、フォーマット部分を補完することによって、文書としての整形を行うことができるので、文書から読取った画像の品質を向上させることができる。
【産業上の利用可能性】
【００４０】
この発明による原稿読取装置は、原稿の画像を読取るファクシミリ装置、複写機、スキャナ装置を含む装置全般に適用することができる。
【図面の簡単な説明】
【００４１】
【図１】この発明の実施例の原稿読取装置の機能構成を示すブロック図である。
【図２】図１に示す原稿読取装置における原稿の画像読取り時の処理を示すフローチャート図である。
【図３】図２に示す読取り終了可否判断処理の第１例の処理を示すフローチャート図である。
【図４】図２に示す読取り終了可否判断処理の第２例の処理を示すフローチャート図である。
【００４２】
【図５】任意の部位にページ終了を示す画像パターンがあるか否かによる読取り終了可否判断処理の第３例の処理を示すフローチャート図である。
【図６】任意の部位にページ数を示す数値があるか否かによる読取り終了可否判断処理の第３例の処理を示すフローチャート図である。
【図７】図２に示す読取り終了可否判断処理の第４例の処理を示すフローチャート図である。
【図８】図１に示す原稿読取装置における原稿の画像読取り時の他の処理を示すフローチャート図である。
【００４３】
【図９】図２に示す読取り終了可否判断処理の第５例の処理を示すフローチャート図である。
【図１０】図２及び図８に示す読取り画像未読取り部補完処理の第１例の処理を示すフローチャート図である。
【図１１】図２及び図８に示す読取り画像未読取り部補完処理の第２例の処理を示すフローチャート図である。
【図１２】図２及び図８に示す読取り画像未読取り部補完処理の第３例の処理を示すフローチャート図である。
【００４４】
【図１３】図２及び図８に示す読取り画像未読取り部補完処理の第４例の処理を示すフローチャート図である。
【図１４】従来の原稿読取装置の構成を示すブロック図である。
【符号の説明】
【００４５】
１，２１：スキャン制御部    ２，２２：原稿搬送部    ３，２３：画像読取り部    ４，２４：画像処理部    ５，２５：画像蓄積部    ６，２６：ＵＩ部    ７，２７：印刷部    ８，２８：ジャム検知部    ９：画像パターン認識部    １０：読取り終了可否判断部    １１：ジャム時画像処理部
【図１】
2007325066.tif 000003
【図２】
2007325066.tif 000004
【図３】
2007325066.tif 000005
【図４】
2007325066.tif 000006
【図５】
2007325066.tif 000007
【図６】
2007325066.tif 000008
【図７】
2007325066.tif 000009
【図８】
2007325066.tif 000010
【図９】
2007325066.tif 000011
【図１０】
2007325066.tif 000012
【図１１】
2007325066.tif 000013
【図１２】
2007325066.tif 000014
【図１３】
2007325066.tif 000015
【図１４】
2007325066.tif 000016